(57)【要約】【課題】活魚収納容器の収納空間を効率よく使用したり、持ち運ぶ時や運搬中に他物にエアポンプ装置の上部を接触させて損傷させてしまうことや、ポケットからエアポンプ装置が不測に離脱してしまうことを阻止することができ、エアポンプ装置の二次電池の交換作業及びエアポンプ装置の点検作業を容易迅速に行うことができる点にある。【解決手段】容器本体２に、活魚が水と共に収納される活魚収納部４と二次電池及び二次電池にて駆動されるエアポンプを備えたエアポンプ装置５を収納するためのエアポンプ装置収納部６とを区分けする縦壁７を備え、エアポンプ装置収納部６に収納されたエアポンプ装置５の取り出しを外部から行う出し入れ用開口１５を容器本体２に備え、エアポンプ装置収納部６にエアポンプ装置５を収納する際に、エアポンプ装置５の下部が入り込んでエアポンプ装置を保持するための保持用凹部１６を備えた。【選択図】図１
2007189925.tif 000002
【特許請求の範囲】
【請求項１】
底壁部とその底壁部から立ち上がった側壁部とからなる上方が開放された容器本体と、この容器本体の開口を閉じる蓋体とからなり、前記容器本体に、活魚が水と共に収納される活魚収納部と二次電池及び該二次電池にて駆動されるエアポンプを備えたエアポンプ装置を収納するためのエアポンプ装置収納部とを区分けするための縦壁を備え、前記蓋体を閉じた状態で、前記エアポンプ装置を前記エアポンプ装置収納部へ収納し、かつ、該エアポンプ装置収納部に収納された該エアポンプ装置の取り出しを外部から行うための出し入れ用開口を前記容器本体の側壁部に備え、前記出し入れ用開口を通して前記エアポンプ装置収納部に前記エアポンプ装置を収納する際に、該エアポンプ装置の下部が入り込んで該エアポンプ装置を保持するための保持用凹部を該収納部に備えさせたことを特徴とする活魚収納容器。
【請求項２】
前記保持用凹部内に入り込んで保持された前記エアポンプ装置の上下方向上側の前面に当接させ、該ポンプ装置の前方側への倒れ込みを阻止するための前壁部を前記容器本体に備えさせてなる請求項１記載の活魚収納容器。
【請求項３】
前記出し入れ用開口をそれの前方から前記エアポンプ装置を挿入可能となる左右幅を少なくとも有する大きさに設定し、前記エアポンプ装置を前記出し入れ用開口を通して前記エアポンプ装置収納部に位置させてから、その挿入方向と９０度異なる左右方向のうちのいずれか一方向へ設定距離移動させることができる空間を前記エアポンプ装置収納部に備えさせ、前記左右方向のうちのいずれか一方向へ設定距離移動させたエアポンプ装置の真下に前記保持用凹部を配置してなる請求項１又は２記載の活魚収納容器。
【請求項４】
前記保持用凹部が、前記エアポンプ装置の底面を支持する底壁部と、該底壁部にて支持された該エアポンプ装置の後面及び左右両側面に当接する後壁部及び左右壁部と、前記左右壁部のうちのエアポンプ装置移動方向奥側の壁部の前端からエアポンプ装置移動方向手前側に延びて該エアポンプ装置の前面の一部に当接する前壁部とを備えてなり、前記エアポンプ装置に当接する前記左右壁部のうちのエアポンプ装置移動方向手前側に位置する保持用凹部形成用の壁部と前記出し入れ用開口を形成する左右壁部のうちのエアポンプ装置移動方向手前側に位置する出し入れ用開口形成用の壁部との間に、前記出し入れ用開口に挿入した前記エアポンプ装置を、その挿入方向と９０度異なる左右方向のうちのいずれか一方向へ設定距離移動させる際に、該エアポンプ装置の底部を当接案内するための案内用壁部を形成してなる請求項１〜３のいずれかに記載の活魚収納容器。
【請求項５】
合成樹脂製の袋を前記エアポンプ装置の上方から被せたままで、前記エアポンプ装置収納部に収納させてなる請求項１〜４のいずれかに記載の活魚収納容器。
【請求項６】
前記容器本体と前記蓋体とが、発泡合成樹脂からなる請求項１〜５のいずれかに記載の活魚収納容器。
【請求項７】
請求項１〜６のいずれかの活魚収納容器を用い、前記蓋体を閉じた状態で、合成樹脂製の袋を前記エアポンプ装置の上方から被せたままで、該エアポンプ装置を出し入れ用開口を通して前記エアポンプ装置収納部へ収納させた後、該収納部に備えさせた保持用凹部に該エアポンプ装置の下部を入り込ませて、該エアポンプ装置を保持させることを特徴とする活魚収納容器へのエアポンプ装置収納方法。
【発明の詳細な説明】
【技術分野】
【０００１】
本発明は、特に活きている魚や貝などの魚貝類をそのままの状態を維持しながら移送したり、保管する場合に好適な活魚収納容器及び活魚収納容器へのエアポンプ装置収納方法に関する。
【背景技術】
【０００２】
上記活魚収納容器は、上方が開放された容器本体と、この容器本体の開口を閉じる蓋体とからなり、前記容器本体に、活魚が水と共に収納される活魚収納部と乾電池及び該乾電池にて駆動されるエアポンプを備えたエアポンプ装置を収納するためのエアポンプ装置収納部とを容器本体内を仕切る縦壁により形成することによって、活魚収納部内の水がエアポンプ装置収納部に侵入することがないようにしている。そして、エアポンプ装置収納部内に備えたエアポンプ装置からのエアを活魚収納部の水の中に供給することによって、活魚を所定時間に渡って活かすことができるようにしている（例えば、特許文献１参照）。
又、発泡合成樹脂の容器本体の外側にポンプ収納用ポケットを一体に形成したものも提案されている（例えば、特許文献２）。
【特許文献１】特開２００３−１２５６７１号公報（第１図参照）
【特許文献２】登録実用新案第３０２３６９７号公報（第１図参照）
【発明の開示】
【発明が解決しようとする課題】
【０００３】
上記特許文献１の場合には、乾電池の持っている蓄電能力以上にはエアポンプを駆動することができないため、乾電池によるエアポンプの最大駆動時間を超える長時間に渡ってエアポンプを駆動することができない。その結果、乾電池が消耗した後、更に輸送する必要がある時には蓋体を開放状態にしてエアポンプ装置を取り出してから、電池交換を行った後、再度蓋体を閉じるようにしており、電池交換作業が手間のかかる煩わしいものであった。
特に、活魚収納容器をトラックの荷室などに積んで運搬する場合などは、蓋体が容器本体から外れて容器本体内の水などが荷室内に漏れてしまうことがないように、蓋体を粘着テープなどで容器本体に固定することが一般的に行われており、この場合には、粘着テープを一々剥がしてから蓋体を取り外し、電池交換後は、粘着テープにて再度、蓋体を容器本体に固定しなければならず、電池交換が非常に手間のかかる作業になっていた。
因みに、蓋体にてエアポンプ装置が密閉状態となっている状態では、エアポンプ装置が正常に駆動しているかどうかを正確に確認するには前記したように蓋体を取り外す必要が生じることになり、エアポンプ装置の点検作業も手間のかかるものであった。
又、特許文献２の場合には、ポケットからエアポンプ装置を取り出して、電池交換を容易迅速に行うことができるものの、容器本体からポケットが側方に一部分のみ突出した状態になっているため、多数の活魚収納容器を積み上げて輸送したり、保管する場合に容器本体同士間に無駄な隙間が発生し、活魚収納容器の収納空間を効率よく使用することができない不都合があった。又、エアポンプ装置の上部が外部に露出した状態になっているため、持ち運ぶ時や運搬中に他物にエアポンプ装置の上部を当接させてしまうことや、ポケットからエアポンプ装置が不測に離脱してしまうことがあり、改善の余地があった。
【０００４】
本発明が前述の状況に鑑み、解決しようとするところは、容器本体内にエアポンプ装置を収納することによって、活魚収納容器の収納空間を効率よく使用することができるだけでなく、持ち運ぶ時や運搬中に他物にエアポンプ装置の上部を接触させて損傷させてしまうことや、ポケットからエアポンプ装置が不測に離脱してしまうことを阻止することができるものでありながら、エアポンプ装置の二次電池の交換作業及びエアポンプ装置の点検作業を容易迅速に行うことができる活魚収納容器及び活魚収納容器へのエアポンプ装置収納方法を提供する点にある。
【課題を解決するための手段】
【０００５】
本発明の活魚収納容器は、前述の課題解決のために、底壁部とその底壁部から立ち上がった側壁部とからなる上方が開放された容器本体と、この容器本体の開口を閉じる蓋体とからなり、前記容器本体に、活魚が水と共に収納される活魚収納部と二次電池及び該二次電池にて駆動されるエアポンプを備えたエアポンプ装置を収納するためのエアポンプ装置収納部とを区分けする縦壁を備え、前記蓋体を閉じた状態で、前記エアポンプ装置を前記エアポンプ装置収納部へ収納し、かつ、該エアポンプ装置収納部に収納された該エアポンプ装置の取り出しを外部から行うための出し入れ用開口を前記容器本体の側壁部に備え、前記出し入れ用開口を通して前記エアポンプ装置収納部に前記エアポンプ装置を収納する際に、該エアポンプ装置の下部が入り込んで該エアポンプ装置を保持するための保持用凹部を該収納部に備えさせたことを特徴としている。
容器本体に蓋体が閉じられている状態であっても、二次電池の交換又は点検を行いたい場合には、蓋体を取り外すことなく、出し入れ用開口を通して外部からエアポンプ装置を取り出して、二次電池の交換又は点検を容易迅速に行うことができる。二次電池の交換又は点検が完了した後は、出し入れ用開口を通して収納部内の保持用凹部に収納することによって、エアポンプ装置を保持させることができる。そして、蓋体にて上端が閉じられたエアポンプ装置収納部を容器本体に備えることによって、エアポンプ装置収納部を活魚収納容器の外部に大きく突出して備えさせたものに比べて、活魚収納容器の収納空間を効率よく使用することができるだけでなく、持ち運ぶ時や運搬中に他物に外部に突出したエアポンプ装置の上部を当接させてしまうことや、ポケットからエアポンプ装置が不測に離脱してしまうことを確実に阻止することができる。
【０００６】
前記保持用凹部内に入り込んで保持されたエアポンプ装置の上下方向上側の前面に当接させ、該ポンプ装置の前方側への倒れ込みを阻止するための前壁部を前記容器本体に備えさせてもよい。
【０００７】
前記出し入れ用開口をそれの前方から前記エアポンプ装置を挿入可能となる左右幅を少なくとも有する大きさに設定し、前記エアポンプ装置を前記出し入れ用開口を通して前記エアポンプ装置収納部に位置させてから、その挿入方向と９０度異なる左右方向のうちのいずれか一方向へ設定距離移動させることができる空間を前記エアポンプ装置収納部に備えさせ、前記左右方向のうちのいずれか一方向へ設定距離移動させたエアポンプ装置の真下に前記保持用凹部を配置してもよい。
【０００８】
前記保持用凹部が、前記エアポンプ装置の底面を支持する底壁部と、該底壁部にて支持された該エアポンプ装置の後面及び左右両側面に当接する後壁部及び左右壁部と、前記左右壁部のうちのエアポンプ装置移動方向奥側の壁部の前端からエアポンプ装置移動方向手前側に延びて該エアポンプ装置の前面の一部に当接する前壁部とを備えてなり、前記エアポンプ装置に当接する前記左右壁部のうちのエアポンプ装置移動方向手前側に位置する保持用凹部形成用の壁部と前記出し入れ用開口を形成する左右壁部のうちのエアポンプ装置移動方向手前側に位置する出し入れ用開口形成用の壁部との間に、前記出し入れ用開口に挿入した前記エアポンプ装置を、その挿入方向と９０度異なる左右方向のうちのいずれか一方向へ設定距離移動させる際に、該エアポンプ装置の底部を当接案内するための案内用壁部を形成してもよい。
【０００９】
合成樹脂製の袋を前記エアポンプ装置の上方から被せたままで、前記エアポンプ装置収納部に収納させてもよい。
【００１０】
前記容器本体と前記蓋体とを、発泡合成樹脂から構成してもよい。
【００１１】
請求項１〜６のいずれかの活魚収納容器を用い、前記蓋体を閉じた状態で、合成樹脂製の袋を前記エアポンプ装置の上方から被せたままで、該エアポンプ装置を出し入れ用開口を通して前記エアポンプ装置収納部へ収納させた後、該収納部に備えさせた保持用凹部に該エアポンプ装置の下部を入り込ませて、該エアポンプ装置を保持させることにより、活魚収納容器へエアポンプ装置を収納するようにしてもよい。
【発明の効果】
【００１２】
前記蓋体を閉じた状態で、前記エアポンプ装置を前記エアポンプ装置収納部へ収納し、かつ、該エアポンプ装置収納部に収納された該エアポンプ装置の取り出しを外部から行うための出し入れ用開口を前記容器本体の側壁部に備え、前記出し入れ用開口を通して前記エアポンプ装置収納部に前記エアポンプ装置を収納する際に、該エアポンプ装置の下部が入り込んで該エアポンプを保持するための保持用凹部を該収納部に備えさせることによって、二次電池の交換又は点検を行いたい場合には、蓋体を取り外すことなく、容器本体出し入れ用開口を通して外部からエアポンプ装置を取り出して、二次電池の交換又は点検を容易迅速に行うことができる活魚収納容器を提供することができる。しかも、蓋体にて上端が閉じられた容器本体内に備えられたエアポンプ装置収納部を収納することによって、エアポンプ装置収納部を活魚収納容器の外部に一部分だけ大きく突出して備えさせたものに比べて、活魚収納容器の収納空間を効率よく使用することができるだけでなく、持ち運ぶ時や運搬中に他物に外部に突出したエアポンプ装置の上部を接触させて損傷させてしまうことや、ポケットからエアポンプ装置が不測に離脱してしまうことを確実に阻止することができ、使用面においても有利になる。
【００１３】
前記保持用凹部内に入り込んで保持されたエアポンプ装置の前方側への倒れ込みを該エアポンプ装置の上下方向上側の前面に当接して阻止するための前壁部を前記容器本体に備えさせることによって、例え運搬中に大きな振動が発生した場合でも、エアポンプ装置が保持用凹部から外れて前方へ倒れることを当接阻止することができ、取扱面において有利なものにすることができる。
【００１４】
前記出し入れ用開口をそれの前方から前記エアポンプ装置を挿入可能となる左右幅を少なくとも有する大きさに設定し、前記エアポンプ装置を前記出し入れ用開口を通して前記エアポンプ装置収納部に位置させてから、その挿入方向と９０度異なる左右方向のうちのいずれか一方向へ設定距離移動させることができる空間を前記エアポンプ装置収納部に備えさせ、前記左右方向のうちのいずれか一方向へ設定距離移動させたエアポンプ装置の真下に前記保持用凹部を配置することによって、保持用凹部からエアポンプ装置が外れることがあっても、左右方向のうちのいずれか一方向へ設定距離移動しない限り収納部からエアポンプ装置が離脱することを回避することができる。又、出し入れ用開口を通してエアポンプ装置収納部に位置させたエアポンプ装置を左右方向のうちのいずれか一方向へ設定距離移動させることができる空間を備えていることから、合成樹脂製の袋をエアポンプ装置にそれの上から被せて袋を迂回させるためにエアホースを下方へ一旦降ろしてから上方へ立ち上げた場合でも、その一旦降ろして立ち上げたエアホースをエアポンプ装置が移動して空き状態となった隙間（空間）内のスペースを利用して配置させることができるから、保持用凹部にエアポンプ装置を入り込ませて保持させることができる。エアポンプ装置に接続されるエアホースを伝ってくる水（エアポンプにて生成される多量の泡の一部がエアホースを伝わって来る場合もある）などがエアポンプ装置にかかることをそれに被せた袋にて阻止して、水や泡などでの故障を確実に防止することができる商品価値の高いものにすることができる。
【００１５】
前記保持用凹部が、前記エアポンプ装置の底面を支持する底壁部と、該底壁部にて支持された該エアポンプ装置の後面及び左右両側面に当接する後壁部及び左右壁部と、前記左右壁部のうちのエアポンプ装置移動方向奥側の壁部の前端からエアポンプ装置移動方向手前側に延びて該エアポンプ装置の前面の一部に当接する前壁部とを備えてなり、前記エアポンプ装置に当接する前記左右壁部のうちのエアポンプ装置移動方向手前側に位置する保持用凹部形成用の壁部と前記出し入れ用開口を形成する左右壁部のうちのエアポンプ装置移動方向手前側に位置する出し入れ用開口形成用の壁部との間に、前記出し入れ用開口に挿入した前記エアポンプ装置を、その挿入方向と９０度異なる左右方向のうちのいずれか一方向へ設定距離移動させる際に、該エアポンプ装置の底部を当接案内するための案内用壁部を形成することによって、エアポンプ装置の外周を４方向から当接する壁部にて確実に保持することができる。
【００１６】
合成樹脂製の袋を前記エアポンプ装置の上方から被せたままで、前記エアポンプ装置収納部に収納させるように構成する、又は合成樹脂製の袋を前記エアポンプ装置の上方から被せたままで、該エアポンプ装置を出し入れ用開口を通して前記エアポンプ装置収納部へ収納させた後、該収納部に備えさせた保持用凹部に該エアポンプ装置の下部を入り込ませて、該エアポンプ装置を保持させることにより、例えエアポンプ装置収納部に水がかかったり、エアポンプ装置へエアホースから水が伝わってきたとしても、エアポンプ装置が水で損傷することを確実に阻止することができる。
【発明を実施するための最良の形態】
【００１７】
図１〜図４に、本発明の魚介類を活きたままの状態を維持しながら移送したり、魚介類を活きたままの状態を維持しながら保管する場合に用いる魚介類用の活魚収納容器１を示している。この活魚収納容器１は、活魚を上方から入れるための開口２Ｋが形成された上方開放型の平面視ほぼ長方形の発泡合成樹脂製の容器本体２と、この容器本体２の上方開口２Ｋを閉じる平面視ほぼ長方形の発泡合成樹脂製の蓋体３とからなり、前記容器本体２は、活魚が水（又は海水）と共に収納される活魚収納部４と、二次電池としての乾電池（バッテリでもよい）にて駆動されるエアポンプを備えたエアポンプ装置５を収納するためのエアポンプ装置収納部６とを区分けするための平面視ほぼＬ字状の縦壁７を備えている。ここでは、平面視ほぼ長方形の容器を示しているが、正方形又は多角形あるいは円形等、どのような形状でもよいが、矩形状（長方形又は正方形）の容器とする場合には、車両等に多数積み込んで移送する場合に載置効率面で最適である。ここでは、軽量でコスト面において有利な発泡合成樹脂製の活魚収納容器１を示しているが、非発泡の合成樹脂で構成したものであってもよい。図１に示す８は、前記エアポンプ装置５からのエアを送るエアホース９の先端に接続されているエア吹き出し部である。前記エアポンプ装置５は、乾電池及びエアポンプがケーシング１３内に収納され、このケーシング１３に乾電池を交換する時に開放するための開閉自在なカバー１４を備えているが、エアポンプ装置５としての具体的構成は図に示されるものに限定されるものではない。前記ケーシングの上端に、エアホース９が接続される排出口１０、エアをエアポンプに取り入れるためのエア供給口１１、エアポンプを駆動させるための押しボタン式のＯＮ−ＯＦＦスイッチ１２が備えられているが、図に示される構成以外であってもよい。図１及び図２に示す３Ｃは、エアポンプから送られる空気を排気する（場合によっては、これら空気で生成される水泡の一部を容器外に排出する）ために蓋体３に形成されている排出用孔である。排出用孔３Ｃは蓋体３の中央側寄りに大きな孔を設け、排出用孔３Ｃから出てきた泡を蓋体３の外縁まで案内するための外縁側ほど低くなる傾斜面を備えた案内用の溝３Ｍが形成されている。これらの孔３Ｃや溝３Ｍは無くてもよい。３Ｋは、容器本体２に蓋体３を閉塞する際に、両者の嵌合部（後述する嵌合凸部と嵌合凹部間）に閉じこめられる空気を排気させることで閉蓋を容易にさせるための排出用孔である。尚、ここでは、活魚収納容器１の短辺方向を左右方向とし、長辺方向を前後方向として説明する。
【００１８】
図１、図２及び図４に示すように、前記蓋体３を閉じた状態で、前記エアポンプ装置５を前記エアポンプ装置収納部６へ収納し、かつ、該エアポンプ装置収納部６に収納された該エアポンプ装置５の取り出しを外部から行うための出し入れ用開口１５を前記容器本体２の前側の側壁部２Ｃに備え、前記出し入れ用開口１５を通して前記エアポンプ装置収納部６に前記エアポンプ装置５を収納する際に、該エアポンプ装置５の下部が入り込んで該エアポンプ装置５を保持するための保持用凹部１６を該エアポンプ装置収納部６の下部に備えさせている。前記エアポンプ装置５を上下が反対となる状態で保持用凹部１６に保持させてもよい。
【００１９】
前記出し入れ用開口１５をそれの前方から前記エアポンプ装置５を挿入可能となるように該エアポンプ装置５のケーシング１３の左右幅よりも少し大きな寸法を有し、かつ、上下寸法はエアポンプ装置５のケーシング１３の上下寸法よりも少し小さな寸法を有する大きさに設定している。前記出し入れ用開口１５の後側に上方が開放された前記エアポンプ装置収納部６が形成されている。そして、前記エアポンプ装置５を前記出し入れ用開口１５を通して後側のエアポンプ装置収納部６に挿入してから、そのままの姿勢で該挿入方向と９０度異なる左右方向のうちのいずれか一方向、図１，２では右側へ設定距離移動させることができる空間を前記エアポンプ装置収納部６に備えさせ、前記左右方向のうちのいずれか一方向（右側）へ設定距離移動させたエアポンプ装置５の真下に前記保持用凹部１６を形成しているが、左側へ設定距離移動させることができる空間を前記エアポンプ装置収納部６に備えさせて実施することもできる。前記エアポンプ装置５を出し入れ用開口１５を通して挿入可能となる上下端のうち、上端は後述する上側に位置する前壁部分２４の下端にて設定され、下端は後述する左側の壁部分１８の上端にて設定され、エアポンプ装置５を後述のように後下がり傾斜姿勢にて出し入れ用開口１５を通してエアポンプ装置収納部６内へ移動させることになる。
【００２０】
図２、図４〜図７に示すように、前記保持用凹部１６が、前記エアポンプ装置５の底面の一部を支持する底壁部１７と、該エアポンプ装置５の後面に当接する後壁部７Ａと、該エアポンプ装置５の前面に当接する前壁部を構成する前記前側の側壁部２Ｃと、該エアポンプ装置５の左側面に当接するとともに左側の底面を支持する左壁部を構成するＬ字状の壁部分１８と、該エアポンプ装置５の右側面に当接する右壁部を構成する前記右側の側壁部２Ｄとからなっている。前記底壁部１７は、前記エアポンプ装置５の底面の左右幅方向ほぼ中央部で前後方向奥側のみを支持する立方体形状に構成されている。前記後壁部７Ａは、エアポンプ装置５の後側に位置し、前記縦壁７にて構成されている。前記前壁部は、前記前側の側壁部２Ｃの右側の角部寄りの縦壁部分２０と、この縦壁部分２０の上端からエアポンプ装置移動方向に延びる前壁部分２４とからなる逆Ｌ字状に構成されている。前記左壁部は、後述する縦向きの仕切壁２６の下端に右側に突出する状態で一体形成されている。前記右壁部は、前記右側の側壁部２Ｄの角部に位置する右側の壁部分１９から構成されている。
前記出し入れ用開口１５を通してそれの後方に位置する前記エアポンプ装置収納部６に前記エアポンプ装置５を移動させる際、及び該移動後に該エアポンプ装置５をそのままの姿勢で該挿入方向と９０度異なる左右方向のうちのいずれか一方向（右側）へ設定距離移動させる際に、該エアポンプ装置５の底部２２を当接案内するための案内用壁部２３を前記左側の壁部分１８の上端にて兼用構成している。前記壁部分７Ａのエアポンプ装置収納部６側表面には、上下方向に延びる左右一対の膨出部７Ｔ，７Ｔを形成しているが、無くてもよい。
【００２１】
図４〜図６にも示すように、前記案内用壁部２３が、前記出し入れ用開口１５へ前方から前記エアポンプ装置５を挿入するときに該エアポンプ装置５の底部に当接して上方側へ案内するための後上がり傾斜面２３Ａと、この後上がり傾斜面２３Ａから後端に渡って形成された前記エアポンプ装置移動方向奥側ほど下方に位置する下り傾斜面２３Ｂとを備えた例が図示されている。この例では、出し入れ用開口１５からエアポンプ装置収納部６への移動を後上がり傾斜面２３Ａによる当接案内作用にてスムーズに移動案内させることができるので好ましい。又、エアポンプ装置収納部６に位置させたエアポンプ装置５を右側に位置する保持用凹部１６へ下り傾斜面２３Ｂによる当接案内作用にてスムーズに移動案内させることができるので好ましい。しかし、前記案内用壁部２３を、前記エアポンプ装置移動方向奥側ほど下方に位置する下り傾斜面２３Ａのみを備えるものから構成してもよいし、それら後上がり傾斜面２３Ａ及び下り傾斜面２３Ｂがないものであってもよい。
【００２２】
図２及び図５に示すように、前記保持用凹部１６内に入り込んで保持されたエアポンプ装置５の前方側への倒れ込みを該エアポンプ装置５の上下方向上側の前面に当接して阻止するための前壁部を前記容器本体２の前側の側壁部２Ｃの上方に位置する前壁部分２４にて兼用構成している。従って、図５に示すように、保持用凹部１６に保持されているエアポンプ装置５が保持用凹部１６から離脱しようとする場合には、エアポンプ装置５の上部前面が前壁部分２４の背面に当接して保持用凹部１６からの離脱を確実に阻止することができるようになっている。しかし、前壁部分２４の下端を上方に位置させてエアポンプ装置５の前方側への倒れ込みに作用しないようにして実施してもよいし、前壁部分２４が全く無い状態で実施することによって、エアポンプ装置５を出し入れ用開口１５からのエアポンプ装置５の出し入れを容易迅速に行うことができるようにしてもよい。前壁部分２４を設けた場合には、図２に示すように、エアポンプ装置５を図２の垂直姿勢のまま後方に移動させると、出し入れ用開口１５を構成する左側壁部分１８の上端が当接して邪魔をしてしまうため、エアポンプ装置収納部６に垂直姿勢のままで移動させることができない。そのため、図５に示すようにエアポンプ装置５をそれの上端が後下がりとなる傾斜姿勢にして矢印方向に挿入しながら垂直方向に戻すことによって、エアポンプ装置５をエアポンプ装置収納部６内に位置させることができるのである。
前記エアポンプ装置５の点検や電池交換を行いたい場合には、前記保持用凹部１６に支持されているエアポンプ装置５を一旦持ち上げて保持用凹部１６から離脱した状態にしてから、左側に設定距離移動させ、出し入れ用開口１５を通してエアポンプ装置５をそれの下端側から前方に引き出しながら出し入れ用開口１５を通過させることによって、外部にエアポンプ装置５を取り出して点検や電池交換を行うことになる。点検や電池交換後は、前記のようにエアポンプ装置５をそれの上端が後下がりとなる傾斜姿勢にした状態で出し入れ用開口１５を通してエアポンプ装置収納部６内へ位置させてから、右側に設定距離移動させた後、保持用凹部１６に落とし込んで保持させて作業を完了するのである。尚、エアポンプ装置５をエアポンプ装置収納部６から外部に取り出した位置までの移動距離分だけエアポンプ装置５に接続されるエアホース９を長くしておくことになるが、エアホース９を伸縮自在な材料から構成している場合には、エアポンプ装置５の取り出し時の余裕分のエアホース９の長さを短くすることができる。
【００２３】
図１及び図２には、前記縦壁７から前記エアポンプ装置５までの間に、前記エアホース９を伝わってくる水を外部に排出するための水排出用空間２５を備えさせた例を示している。この例では、エアホース９を伝わってくる水がエアポンプ装置５側に移動し難いようにしているが、水排出用空間２５を省略して実施してもよい。詳述すれば、縦壁７のエアポンプ装置５側の面の特定箇所と容器本体２の内面の特定箇所と上下方向で連結するための縦向きの仕切壁２６を備えさせて水排出用空間２５を形成し、この水排出用空間２５の下方に開口２７を形成して、水排出用空間２５に排出された水を開口２７を通して容器の外部に排出できるようにしているが、水排出用空間２５に排出された水を溜める貯留部を備えさせて実施することもできる。この場合、貯留部に溜まった水を定期的に排出することができるように、容器本体２に貯留部を着脱自在に備えさせておいてもよい。このように、水排出用空間を備えさせている場合には、エアポンプ装置収納部６側へ水が伝わることを該水排出用空間２５による排出作用により抑制することができ、エアポンプ装置５が水により駆動不能となることをより確実に回避することができる。
【００２４】
前記容器本体２は、図４に示すように、ほぼ長方形状の板状の底壁部２Ａと、この底壁部２Ａの外周縁から立ち上げられて外周壁を構成する４枚の縦向きで板状の側壁部２Ｂ，２Ｃ，２Ｄ，２Ｅとからなっているが、前述のように容器本体２の形状は、図に示されるもの以外であってもよい。又、前記側壁部２Ｂ，２Ｃ，２Ｄ，２Ｅの上端面の内外方向内側部分に、上方に突出し、かつ、周方向全域に渡る環状の嵌合凸部２Ｔを形成している。この嵌合凸部２Ｔを、これに対応する蓋体３の外周縁部に上方へ凹む嵌合凹部３Ｈに嵌合することによって、容器本体２に蓋体３を閉蓋状態で固定することができるようになっている。ここでは、嵌合凸部２Ｔを容器本体２に備えさせ、嵌合凹部３Ｈを蓋体３に備えさせているが、嵌合凸部を蓋体３に備えさせ、嵌合凹部を容器本体２に備えさせて実施することもできる。又、嵌合凸部及び、これに嵌合する嵌合凹部を周方向全域に設けず、断続した形状で部分的に設けることもできる。
【００２５】
前述したように、前記エアポンプ装置収納部６に収納されたエアポンプ装置５からのエアを前記活魚収納部４まで案内するためのエアホース９及び該エアホース９の（エア案内方向）終端からエアを排出するためのエア吹き出し部８を備え、前記縦壁７の上端に前記エアホース９が入り込んで該エアホース９を保持するための切欠き溝７Ｍを形成している。又、前記仕切壁２６の上端にも、前記縦壁７の切欠き溝７Ｍから水排出用空間２５を通ってエアポンプ装置収納部６へ案内されるエアホース９を保持するための切欠き溝２６Ｍを形成している。ここでは、２箇所に形成されたほぼ９０度方向の異なる切欠き溝７Ｍ、２６Ｍにてエアホース９を保持する構成であることから、１箇所にのみ形成された切欠き溝にてエアホース９を保持する場合に比べて、エアポンプ装置５を外部に取り出すときに多少乱暴に扱ったとしても、エアホース９がエアポンプ装置５から近い位置にある切欠き溝２６Ｍ又は両方の切欠き溝７Ｍ，２６Ｍから抜けてしまうことを確実に防止することができるようにしているが、１箇所のみ切欠き溝を形成してもよいし、場合によっては３箇所以上に切欠き溝を形成してもよい。
【００２６】
前記切欠き溝７Ｍ内に入り込んだエアホース９に前記蓋体３の閉じ状態で上方から当接して該切欠き溝７Ｍを密閉するための当接部３Ａを該蓋体３の下面に備えさせて、エアホース９と切欠き溝７Ｍとの間に発生する隙間をできる限り無くすようにすることで、エアホース９を伝ってくる水や空気の吹き込みによって生ずる水泡（以下、単に水と称する）を遮断することができるようにしているが、当接部３Ａを省略することができる。前記当接部３Ａの長手方向ほぼ中央から蓋体３の外周縁に向けて延びる突出部３Ｂを備えさせ、この突出部３Ｂが入り込む凹部７Ｈを前記縦壁７の上端に縦壁７の長手方向に沿って形成して、蓋体３の閉じ状態において両者３Ｂ，７Ｈが嵌合することによって、容器本体２内の水がエアポンプ装置収納部６に入り込み難いようにしている。つまり、容器本体２内の水がエアポンプ装置収納部６側へ移動するためには、突出部３Ｂと凹部７Ｈとの僅かな隙間に入り込まなければならないことになる。そして、例え前記僅かな隙間に水が入り込んだとしても、その入り込んだ水が凹部７Ｈを立ち上がらなければ、エアポンプ装置収納部６へ到達することができないことになる。
【００２７】
前記切欠き溝７Ｍの底面を、前記エアポンプ装置収納部６側ほど上方に位置する上り傾斜面、換言すれば前記活魚収納部４側ほど下方に位置する前下がり傾斜面に形成して、活魚収納部４の水がエアポンプ装置収納部６側へ移動し難いようにしているが、水平面に形成して実施することもできる。又、前記切欠き溝２６Ｍも同様に構成して実施することもできる。
【００２８】
図８に示すように、前記エアポンプ装置５にそれの上から合成樹脂製の袋２８を被せ（すなわち袋２８の開口部がエアポンプ装置５の下部になるように）、袋２８を被せたエアポンプ装置５をエアポンプ装置収納部６に収納することによって、例えエアポンプ装置収納部６に水がかかったり、エアホース９から水が伝ってきたとしても、エアポンプ装置５が水で損傷することを確実に阻止することができる。この場合、エアホース９は一旦下方へ移動させて袋２８の下方の開口部分から外に出してから、上方へ立ち上げ、活魚収納部４側へエアホース９を配置することになる。その際、前記エアポンプ装置収納部６に形成される隙間に上下に折り返したエアホース９を配置させればよい。図８で説明しなかった部分は、図２と同一であり、図２と同一の符号を付している。
なお、エアポンプ装置５に合成樹脂製の袋２８を被せないで使用する場合であって、容器本体２を蓋体３で閉塞する前は、エアポンプ装置５をエアポンプ装置収納部６の保持用凹部１６に収納するには、エアポンプ装置収納部６の上方から通常のように収納することが一般的であるが、出し入れ用開口１５からエアポンプ装置５を収納することも可能である。
しかし、エアポンプ装置５に合成樹脂製の袋２８を上から被せる場合には、容器本体２を蓋体３で閉塞する以前であっても、出し入れ用開口１５からエアポンプ装置５を収納することが推奨される。なぜなら、エアポンプ装置収納部６の上方から収納したのでは、エアポンプ装置５に上から被せた合成樹脂製の袋２８が捲れ上がり、エアポンプ装置５の露出部分が多くなって耐水性が低下するためである。
【００２９】
前記容器本体２を、図９及び図１０（ａ），（ｂ）に示すように構成してもよい。つまり、エアポンプ装置５を一旦入り込ませることができるようにエアポンプ装置５の左右幅よりも大きな左右幅を有し、かつ、該エアポンプ装置５の上下寸法よりも大きな上下寸法を有する凹部２９を形成し、この凹部２９に前方から垂直姿勢のままで移動させて入り込ませたエアポンプ装置５をそのままの姿勢で右側の壁部分３０に前記エアポンプ装置収納部６内へ挿入することができる縦長の開口３０Ａを形成し、前記縦壁７にて区分け形成されたエアポンプ装置収納部６の下方に、前記エアポンプ装置５の底面の左右幅方向ほぼ中央部を支持するために両側に水排出用の開口３５，３５（無くてもよい）を挟んで上方に突出形成した底壁部３３と、前記縦壁７と、右側の側壁部２Ｄの角部に位置する壁部分３４と、前側の側壁部２Ｃの右側角部に位置する壁部分３２と、前記開口３０Ａの下端縁を形成する縦板部分３１とでなる保持用凹部１６を備えさせている。従って、図１０（ａ）に示すように、容器本体２の前方に位置させたエアポンプ装置５を矢印の方向へ移動させることにより、凹部２９内へ位置させてから、そのままの姿勢で矢印で示す右側へ移動させることによって、開口３０Ａを通してエアポンプ装置収納部６内に位置させてから下方に落とし込むことで保持用凹部１６にてエアポンプ装置５の下部を４つの方向から保持させることができるようにしている（図１０（ｂ）参照）。前記縦板部３１の上面３１Ａを底壁部３３の上面３３Ａよりも高く設定することによって、保持用凹部１６にて保持されているエアポンプ装置５が凹部２９側へ移動することを当接阻止するようにしている。前記縦板部３１の上面３１Ａを水平面に形成しているが、エアポンプ装置収納部６側ほど下方に位置する傾斜面にすることによって、エアポンプ装置５をエアポンプ装置収納部６への移動時にエアポンプ装置５の底部に当接してエアポンプ装置収納部６側へ移動案内させることができるようにしてもよい。前記エアポンプ装置収納部６内に保持されているエアポンプ装置５を外部に取り出す場合には、エアポンプ装置５を一旦上方に持ち上げて、保持用凹部１６から離脱させてから左側へ移動させることで開口３０Ａを通して凹部２９内へ位置させた後、手前側へ移動させることによってエアポンプ装置５を外部に取り出すことができる。尚、エアポンプ装置５をエアポンプ装置収納部６から外部に取り出した位置までの移動距離分だけエアポンプ装置５に接続されるエアホース９を長くしておくことになるが、エアホース９を伸縮自在な材料から構成している場合には、エアポンプ装置５の取り出し時の余裕分のエアホース９の長さを短くすることができる。
【００３０】
前記容器本体２を、図１１（ａ），（ｂ），（ｃ）に示すように構成してもよい。図では、容器本体２の要部であるエアポンプ装置収納部６を示し、説明しない他の部分は、図１〜図８に示すものと同一であり、同一の符号を付している。つまり、図１で示した水排出用空間２５を省略するとともに、図１で示した前壁部分２４を省略し、前壁部分３６を下方側に備えさせて、出し入れ用開口４１を上方が開放されたＵ字状に形成している。前記エアポンプ装置収納部６の下方には、保持用凹部１６側にエアポンプ装置５を移動させるために保持用凹部１６側ほど下方に位置する傾斜面３７を備えさせ、前記保持用凹部１６を、エアポンプ装置５の下面を支持する底壁部３８と、エアポンプ装置５の下側の４面に対向して位置する左側部分３９と、右側の壁部分１９の内側面１９Ａと、前記縦壁７にて兼用構成される壁部分７Ａと、前壁部分３６の内側面３６Ａとから構成している。図１１（ａ），（ｂ），（ｃ）に示す４０は、エアポンプ装置収納部６内に入り込んだ水を外部に排出するための水抜き用の孔であるが、無くてもよい。エアポンプ装置５を保持用凹部１６内に収納する場合には、まず前側の側壁部２Ｃに形成の出し入れ用開口４１を通してエアポンプ装置５をエアポンプ装置収納部６内に位置させてから、そのままの姿勢で右側へ設定距離移動させて、保持用凹部１６の直上方に位置させた後、下方へエアポンプ装置５を落とし込むことによって、保持用凹部１６を構成する底壁部３８、左側部分３９、右側の壁部分１９の内側面１９Ａ、壁部分７Ａ、前壁部分３６の内側面３６Ａにより保持させることができるようになっている。図１１（ｃ）に示すように、蓋体３を容器本体２に装着した状態でも、保持用凹部１６から出し入れ用開口４１を通してエアポンプ装置５を取り出して電池交換や点検などを行った後、再度出し入れ用開口４１を通してエアポンプ装置５を保持用凹部１６へ収納することができるようにしている。図１１（ａ），（ｂ），（ｃ）では、エアポンプ装置５をエアポンプ装置収納部６内に位置させてから、右側へ移動させて保持用凹部１６に収納するようにしたが、これとは反対に、エアポンプ装置５をエアポンプ装置収納部６内に位置させてから、左側へ移動させて保持用凹部１６に収納するように、保持用凹部１６を左側へ配置したものであってもよい。
又、図示していないが、ポンプ出し入れ用開口部の下部になるほど狭くする事により、ポンプ装置を挿入後左右方向への移動を無くして、そのまま下方へ落とし込むことによって、挟持させて保持できる形状でもよい。これは、ポンプを上方から挿入する場合の図１，２で示した形状も実用的であり、ポンプ固定用凹部への案内用壁部が不要な構造である。
【図面の簡単な説明】
【００３１】
【図１】活魚収納容器の要部を示す分解斜視図である。
【図２】エアポンプ装置を収納する前の活魚収納容器の要部を示す分解斜視図である。
【図３】蓋体の要部を示す裏から見た斜視図である。
【図４】容器本体の平面図である。
【図５】図４におけるＩ−Ｉ線断面図である。
【図６】図４におけるＩＩ−ＩＩ線断面図である。
【図７】容器本体の要部の平面図である。
【図８】エアポンプ装置に袋を被せて収納した活魚収納容器の要部を示す分解斜視図である。
【図９】別の容器本体の要部を示す斜視図である。
【図１０】（ａ）は図９の横断平面図、（ｂ）は図９の縦断正面図である。
【図１１】別の容器本体の要部を示し、（ａ）はエアポンプ装置収納部の平面図、（ｂ）はエアポンプ装置収納部の正面図、（ｃ）はエアポンプ装置収納部の縦断側面図である。
【符号の説明】
【００３２】
１  活魚収納容器
２  容器本体
２Ａ  底壁部
２Ｂ，２Ｃ，２Ｄ，２Ｅ  側壁部
２Ｋ  上方開口
２Ｔ  嵌合凸部
３  蓋体
３Ａ  当接部
３Ｂ  突出部
３Ｃ，３Ｋ  排出用孔
３Ｈ  嵌合凹部
３Ｍ  溝
４  活魚収納部
５  エアポンプ装置
６  エアポンプ装置収納部
７  縦壁
７Ｈ  凹部
７Ｍ  溝
７Ｔ  膨出部
８  エア吹き出し部
９  エアホース
１０  排出口
１１  エア供給口
１２  スイッチ
１３  ケーシング
１４  カバー
１５  出し入れ用用開口
１６  保持用凹部
１７  底壁部
１８〜２１  壁部分
２２  底部
２３  案内用壁部
２３Ａ  傾斜面
２３Ｂ  傾斜面
２４  前壁部分
２５  水排出用空間
２６Ｍ  溝
２６  仕切壁
２７  開口
２８  袋
２９  凹部
３０  壁部
３０Ａ  開口
３１  縦板部
３１Ａ  上面
３２  壁部分
３３  底壁部
３３Ａ  上面
３４  壁部分
３５  開口
３６  前壁部分
３６Ａ  内側面
３７  傾斜面
３８  底壁部
３９  左側部分
４０  孔
４１  出し入れ用開口
【図１】
2007189925.tif 000003
【図２】
2007189925.tif 000004
【図３】
2007189925.tif 000005
【図４】
2007189925.tif 000006
【図５】
2007189925.tif 000007
【図６】
2007189925.tif 000008
【図７】
2007189925.tif 000009
【図８】
2007189925.tif 000010
【図９】
2007189925.tif 000011
【図１０】
2007189925.tif 000012
【図１１】
2007189925.tif 000013